(57)【特許請求の範囲】
【請求項１】
電気絶縁性を有する絶縁性板材と、導電性を有すると共に接合剤を介して前記絶縁性板材の上面に積層固定される前記絶縁性板材よりも熱膨張係数の大きい導電性板材と、導電性を有する導電性接合剤を介して前記導電性板材の上面に電気接続状態で積層固定され、通電により発熱する発熱体とを備え、
前記絶縁性板材の上面及びこれに対向する前記導電性板材の下面に、互いに噛み合う凹凸面がそれぞれ形成され、
当該凹凸面同士の噛み合いによって、前記絶縁性板材の上面及び前記導電性板材の下面に沿う面方向への前記絶縁性板材及び前記導電性板材の相対移動が規制され、
前記凹凸面が、前記絶縁性板材の上面及び前記導電性板材の下面の一方に形成された凹部と、他方に形成されて前記凹部内に挿入可能な凸部とによって画成され、
前記凸部及び前記凹部が、それぞれ前記面方向に延びる線状に形成されていることを特徴とする半導体装置。
【請求項２】
前記凹部に、前記凹部の開口縁から前記凹部の底部側に向かうにしたがって傾斜する傾斜案内面が形成されていることを特徴とする請求項１に記載の半導体装置。
【請求項３】
前記凸部に、その先端から基端側に向かうにしたがって傾斜する傾斜案内面が形成されていることを特徴とする請求項１又は請求項２に記載の半導体装置。
【請求項４】
前記凸部及び前記凹部が、それぞれ前記面方向に互いに間隔をあけて複数配されていることを特徴とする請求項１から請求項３のいずれか１項に記載の半導体装置。
【請求項５】
前記凹部の数が前記凸部の数よりも多いことを特徴とする請求項１から請求項４のいずれか１項に記載の半導体装置。
【請求項６】
前記凹部及び前記凸部が、それぞれ前記面方向のうち一方向に等間隔で複数配列され、
前記一方向に配列された複数の凹部のうち、この配列方向の端部に配された一の凹部の大きさが、前記一方向に配列された少なくとも二つの前記凸部を一括して挿入可能な大きさに設定され、
前記一の凹部に前記凸部が挿入された状態において、前記一の凹部に隣り合う前記凹部に別個の前記凸部が挿入されることを特徴とする請求項１から請求項５のいずれか１項に記載の半導体装置。
【請求項７】
前記凸部及び前記凹部が、平面視した前記発熱体の周縁形状に沿うように形成されていることを特徴とする請求項１から請求項４のいずれか１項に記載の半導体装置。
【請求項８】
前記凸部及び前記凹部が、平面視で前記絶縁性板材及び前記導電性板材が重なる領域の周縁に沿うように形成されていることを特徴とする請求項１から請求項４のいずれか１項に記載の半導体装置。
【請求項９】
前記凹凸面が、前記発熱体と前記導電性板材及び導電性板材の板厚方向に重ならない前記絶縁性板材の上面及び前記導電性板材の下面の各周囲領域に形成されていることを特徴とする請求項１から請求項８のいずれか１項に記載の半導体装置。
【発明の詳細な説明】
【技術分野】
【０００１】
この発明は、半導体装置に関する。
【背景技術】
【０００２】
従来の半導体装置には、例えば特許文献１のように、基板の表面に、ダイオードをはじめとする半導体チップのように通電によって発熱する発熱体、及び、基板を介して発熱体に電気接続される外部端子用の導電性板材を固定して構成されたものがある。この半導体装置において、基板は、セラミックス等の電気的な絶縁材料からなる絶縁性板材の上面に、発熱体と導電性板材とを電気接続するための配線パターンを形成して構成されている。また、導電性板材は、銅をはじめとする金属材料によって形成されている。
【０００３】
ところで、従来の半導体装置には、前述した配線パターンの形成を省略し、絶縁性板材の上面に外部端子用の導電性板材及び発熱体を順番に積層固定することで、導電性板材と発熱体とを直接電気接続したものも考えられている。なお、絶縁性板材と導電性板材とは接合剤を介して固定され、導電性板材と発熱体とは半田等の導電性接合剤を介して固定されている。この半導体装置では、発熱体と絶縁性板材との間に熱伝導率の高い導電性板材を配することで、発熱体において生じた熱を効率よく導電性板材側に逃がす放熱性の向上が図られている。
【先行技術文献】
【特許文献】
【０００４】
【特許文献１】特開２００９−２３８８０４号公報
【発明の概要】
【発明が解決しようとする課題】
【０００５】
しかしながら、導電性板材をなす銅等の金属材料は、絶縁性板材をなすセラミックス等の絶縁材料よりも熱膨張係数が大きい。このため、絶縁性板材、導電性板材及び発熱体を積層固定した上記従来の半導体装置が発熱体の熱等によって加熱冷却された際には、絶縁性板材と導電性板材との熱膨張係数の差に基づいて、接合剤、導電性接合剤、発熱体に応力が集中してクラック等の欠陥が発生し、半導体装置の品質が低下する、という不具合が生じる。例えば、導電性接合剤に欠陥が生じた場合には、発熱体の熱を逃がす放熱性が低下する、また、発熱体と導電性板材との電気接続の信頼性が低下する、という不具合が生じる。
【０００６】
本発明は、上述した事情に鑑みたものであって、加熱冷却に基づく品質低下を抑えることが可能な半導体装置を提供することを目的とする。
【課題を解決するための手段】
【０００７】
この課題を解決するために、本発明の半導体装置は、電気絶縁性を有する絶縁性板材と、導電性を有すると共に接合剤を介して前記絶縁性板材の上面に積層固定される前記絶縁性板材よりも熱膨張係数の大きい導電性板材と、導電性を有する導電性接合剤を介して前記導電性板材の上面に電気接続状態で積層固定され、通電により発熱する発熱体とを備え、前記絶縁性板材の上面及びこれに対向する前記導電性板材の下面に、互いに噛み合う凹凸面がそれぞれ形成され、当該凹凸面同士の噛み合いによって、前記絶縁性板材の上面及び前記導電性板材の下面に沿う面方向への前記絶縁性板材及び前記導電性板材の相対移動が規制され、前記凹凸面が、前記絶縁性板材の上面及び前記導電性板材の下面の一方に形成された凹部と、他方に形成されて前記凹部内に挿入可能な凸部とによって画成され、前記凸部及び前記凹部が、それぞれ前記面方向に延びる線状に形成されていることを特徴とする。
なお、前記発熱体は、半導体素子に限定されない各種電気・電子部品のことを示している。
【０００８】
この半導体装置によれば、絶縁性板材及び導電性板材の凹凸面同士が噛み合っていることで、発熱体の熱等によって半導体装置が加熱冷却されたとしても、絶縁性板材に対する導電性板材の面方向への膨張収縮を抑えることができる。このため、絶縁性板材と導電性板材との熱膨張係数の差に基づいて接合剤、導電性接合剤、発熱体に作用する応力が緩和される。その結果として、接合剤、導電性接合剤、発熱体にクラック等の欠陥が生じることを抑制できる。
【００１０】
また、この構成では、絶縁性板材の上面や導電性板材の下面に沿って線状の凹部や凸部の長手方向に直交する方向に、導電性板材が絶縁性板材に対して膨張収縮することを特に抑えることができる。
【００１１】
また、前記半導体装置においては、前記凹部に、前記凹部の開口縁から前記凹部の底部側に向かうにしたがって傾斜する傾斜案内面が形成されていることが好ましい。
また、前記半導体装置においては、前記凸部に、その先端から基端側に向かうにしたがって傾斜する傾斜案内面が形成されていることが好ましい。
これらの構成では、絶縁性板材上に導電性板材を積層固定する際に、凹部と凸部とが面方向に互いにずれていたとしても、凸部の先端が凹部の傾斜案内面に当接することで、あるいは、凹部の開口縁が凸部の傾斜案内面に当接することで、凸部が凹部内に導かれるように、絶縁性板材及び導電性板材がその面方向に相対移動するため、確実に凸部を凹部に挿入することができる。
【００１２】
さらに、前記半導体装置においては、前記凸部及び前記凹部が、それぞれ前記面方向に互いに間隔をあけて複数配されているとよい。
この構成では、発熱体の熱等に基づく導電性板材の凸部や凹部の配列方向への膨張収縮を特に抑えることができる。
【００１３】
また、前記半導体装置においては、前記凹部の数が前記凸部の数よりも多く設定されてもよい。
この構成では、一つの凸部を複数の凹部のうちの一つに対して選択的に挿入することが可能となるため、絶縁性板材上に導電性板材を積層固定する際に、仮に絶縁性板材と導電性板材とがその面方向に位置ずれしたとしても、凸部を確実に凹部に挿入することができる。
【００１４】
さらに、前記半導体装置においては、前記凹部及び前記凸部が、それぞれ前記面方向のうち一方向に等間隔で複数配列され、前記一方向に配列された複数の凹部のうち、この配列方向の端部に配された一の凹部の大きさが、前記一方向に配列された少なくとも二つの前記凸部を一括して挿入可能な大きさに設定され、前記一の凹部に前記凸部が挿入された状態において、前記一の凹部に隣り合う前記凹部に別個の前記凸部が挿入されていてもよい。
【００１５】
この構成では、凹部や凸部の配列方向の端部に配された一の凹部に二つ以上の凸部が挿入可能であることから、絶縁性板材と導電性板材とが互いに前記一方向に位置ずれしても、複数の凸部を確実に凹部に挿入することができる。
また、二つ以上の凸部が一の凹部に挿入された状態で一の凹部に隣り合う凹部に別個の凸部が挿入されることで、絶縁性板材及び導電性板材の凹凸面同士が噛み合うため、発熱体の熱等に基づく導電性板材の前記一方向への膨張収縮を確実に抑えることができる。
【００１６】
また、前記半導体装置においては、前記凸部及び前記凹部が、平面視した前記発熱体の周縁形状に沿うように形成されていてもよい。
この構成では、導電性板材のうち発熱体と重なる領域部分について、発熱体の熱等に基づく導電性板材の面方向への膨張収縮を特に抑えることができる。
【００１７】
さらに、前記半導体装置においては、前記凸部及び前記凹部が、平面視で前記絶縁性板材及び前記導電性板材が重なる領域の周縁に沿うように形成されていてもよい。
この構成では、絶縁性板材及び導電性板材が重なり合う領域について、半導体装置の加熱冷却に基づく導電性板材の面方向への膨張収縮を特に抑えることができ、接合剤、導電性接合剤、発熱体に作用する応力を特に効率よく緩和することができる。
【００１８】
また、前記半導体装置においては、前記凹凸面が、前記発熱体と前記導電性板材及び導電性板材の板厚方向に重ならない前記絶縁性板材の上面及び前記導電性板材の下面の各周囲領域に形成されているとよい。
半導体装置の加熱冷却に基づく第一内部接続部の面方向への膨張収縮は、半導体素子と板厚方向に重なる絶縁性板材や導電性板材の領域（中央領域）よりも、前記周囲領域において大きくなるが、上述したように、絶縁性板材及び導電性板材における凹凸面の形成領域を設定することで、半導体装置が加熱冷却された際に、絶縁性板材に対する導電性板材の面方向への膨張収縮を効率よく抑えることが可能となる。
【発明の効果】
【００１９】
本発明によれば、半導体装置が加熱冷却されても、接合剤、導電性接合剤、発熱体にクラック等の欠陥が生じることを抑制し、半導体装置の品質低下を抑えることができる。
【図面の簡単な説明】
【００２０】
【図１】本発明の第一実施形態に係る半導体装置を示す断面図である。
【図２】図１の半導体装置の要部を示す拡大断面図である。
【図３】図１の半導体装置において、順次積層される絶縁性板材、第一内部接続部及び半導体素子の相対的な位置関係を示す概略平面図である。
【図４】本発明の第二実施形態に係る半導体装置において、順次積層される絶縁性板材、第一内部接続部及び半導体素子の相対的な位置関係を示す概略平面図である。
【図５】本発明の第三実施形態に係る半導体装置において、順次積層される絶縁性板材、第一内部接続部及び半導体素子の相対的な位置関係を示す概略平面図である。
【図６】本発明の第四実施形態に係る半導体装置において、順次積層される絶縁性板材、第一内部接続部及び半導体素子の相対的な位置関係を示す概略平面図である。
【図７】本発明の第五実施形態に係る半導体装置において、順次積層される絶縁性板材、第一内部接続部及び半導体素子の相対的な位置関係を示す概略平面図である。
【図８】本発明の第六実施形態に係る半導体装置の要部を示す拡大断面図である。
【図９】本発明の第七実施形態に係る半導体装置の要部を示す拡大断面図である。
【図１０】本発明の第八実施形態に係る半導体装置を構成する絶縁性板材及び第一端子板の要部を示す拡大断面図である。
【発明を実施するための形態】
【００２１】
〔第一実施形態〕
以下、図１〜３を参照して本発明の第一実施形態について説明する。
図１に示すように、この実施形態に係る半導体装置１は、ヒートシンク２、絶縁性板材３、一対の端子板４，５、半導体素子（発熱体）６、接続子７、及び、モールド樹脂８を備えている。
ヒートシンク２は、半導体素子６において生じた熱を効率よく放熱するものであり、厚板状に形成されている。このヒートシンク２は、少なくとも銅（Ｃｕ）、タングステン、モリブデン等の放熱性の高い材料によって形成されていればよいが、例えばこれに加えてＮｉメッキを施したものでもよい。
絶縁性板材３は、セラミックス等の電気絶縁性を有する材料を板状に形成したものであり、接合剤９を介してヒートシンク２の上面２ａに積層固定されている（図２参照）。
【００２２】
各端子板４，５は、銅材等の導電性を有する材料を板状に形成したものであり、その熱膨張係数は絶縁性板材３よりも大きい。
各端子板４，５は、折曲げ加工が施されていることで断面視クランク形状を呈している。すなわち、各端子板４，５は、平板状の内部接続部４１，５１と、内部接続部４１，５１の上面４１ａ，５１ａよりも上方に位置すると共に内部接続部４１，５１の面方向に沿って内部接続部４１，５１から離れるように延出する平板状の外部接続部４２，５２と、内部接続部４１，５１の上面４１ａ，５１ａから上方に延出して内部接続部４１，５１及び外部接続部４２，５２を相互に連結する平板状の段差部４３，５３とを一体に形成して構成されている。なお、図示例では、内部接続部４１，５１及び外部接続部４２，５２の面方向が互いに平行しているが、これに限ることは無い。
【００２３】
そして、各端子板４，５の内部接続部４１，５１は、接合剤１０を介して絶縁性板材３の上面３ａに積層固定されている（図２参照）。ここで、一対の端子板４，５の内部接続部４１，５１は、これらの間で電気的な短絡が発生しないように、互いに間隔をあけた状態で絶縁性板材３に固定されている。また、この固定状態においては、一対の端子板４，５の各外部接続部４２，５２が、絶縁性板材３の面方向に沿って絶縁性板材３から離れるように延出している。
なお、図示例では、絶縁性板材３に固定された一対の端子板４，５の外部接続部４２，５２が、各々の段差部４３，５３から互いに逆向きに延在しているが、少なくともこれらの間で電気的な短絡が発生しなければよく、例えば同じ向きに延在していてもよい。また、絶縁性板材３と各端子板４，５との接合に使用する接合剤１０は、導電性あるいは電気絶縁性のいずれであっても構わない。
【００２４】
第一端子板（導電性板材）４をなす内部接続部４１（以下、第一内部接続部４１と呼ぶ。）の上面４１ａに沿う長手寸法（図１における紙面左右方向の寸法）は、第二端子板５の内部接続部５１（以下、第二内部接続部５１と呼ぶ。）よりも大きく設定されており、この第一内部接続部４１が半導体素子６を搭載するダイパッドをなしている。
【００２５】
半導体素子６は、板状に形成され、その上面６ａ及び下面６ｂに電極を有して構成されている。この半導体素子６は、ダイオード等のように通電により発熱するものであり、半田等のように導電性を有する導電性接合剤１１を介して第一内部接続部４１の上面４１ａに積層固定されている（図２参照）。これにより、半導体素子６が第一端子板４に電気接続されている。なお、本実施形態では、半導体素子６が第一内部接続部４１の上面４１ａの中央領域に配されており、この第一内部接続部４１の上面４１ａにおいて中央領域を囲む周囲領域は半導体素子６によって覆われていない（図３参照）。
【００２６】
接続子７は、導電性を有する板状に形成され、その両端が、半田等の導電性接合剤を介して、半導体素子６の上面６ａ及び第二内部接続部５１の上面５１ａに接合されている。これにより、半導体素子６と第二端子板５とが電気接続されている。
モールド樹脂８は、ヒートシンク２の下面２ｂが露出するように、また、各端子板４，５の外部接続部４２，５２が外方に突出するように、ヒートシンク２、絶縁性板材３、各端子板４，５の内部接続部４１，５１及び段差部４３，５３、半導体素子６並びに接続子７を封止している。すなわち、絶縁性板材３、各端子板４，５の内部接続部４１，５１及び段差部４３，５３、半導体素子６並びに接続子７は、モールド樹脂８の内部に埋設されている。
このように構成された半導体装置１では、一対の端子板４，５及び接続子７が、半導体素子６の電極をモールド樹脂８の外側に引き出すための電気配線として機能している。また、半導体素子６において生じた熱は、主に、第一端子板４、絶縁性板材３及びヒートシンク２を介して放熱することができる。
【００２７】
さらに、本実施形態の半導体装置１では、図２，３に示すように、絶縁性板材３の上面３ａ、及び、これに対向する第一内部接続部４１の下面４１ｂに、互いに噛み合う凹凸面３１，４４が形成されている。具体的に説明すれば、絶縁性板材３の凹凸面３１は、絶縁性板材３の上面３ａに形成された凹部３２によって画成され、第一内部接続部４１の凹凸面４４は、第一内部接続部４１の下面４１ｂに形成された凸部４５によって画成されている。これら凹部３２及び凸部４５は、断面視で略矩形状に形成されている。
【００２８】
そして、絶縁性板材３に形成される凹部３２は、平面視で絶縁性板材３と第一内部接続部４１とが重なる領域の周縁に沿って線状に延びることで平面視矩形環状に形成されている。より詳細に説明すれば、凹部３２は、半導体素子６を配した第一内部接続部４１の中央領域に対して絶縁性板材３や第一内部接続部４１の板厚方向に重ならないように、この中央領域を囲む絶縁性板材３の上面３ａの周囲領域に形成され、平面視した半導体素子６の周縁よりも第一内部接続部４１の周縁側に寄せて位置している。
なお、図示例では、平面視した第一内部接続部４１の大きさが絶縁性板材３よりも小さいため、凹部３２は平面視した第一内部接続部４１の周縁に沿うように形成されているが、例えば第一内部接続部４１が絶縁性板材３よりも大きい場合、凹部３２は平面視した絶縁性板材３の周縁に沿って形成されていればよい。
【００２９】
図３においては、平面視した第一内部接続部４１の凸部４５が図示されていないが、凸部４５は、前述した凹部３２の場合と同様に、平面視で絶縁性板材３と第一内部接続部４１とが重なる領域の周縁に沿って線状に延びることで平面視矩形環状に形成されている。また、凸部４５は、前述した凹部３２の形成位置に対応するように、半導体素子６と板厚方向に重ならない第一内部接続部４１の下面４１ｂの周囲領域に形成されている。
なお、図２においては、凸部４５のうちその長手方向に直交する幅寸法が、凹部３２の幅寸法と同等あるいは微小に小さく設定されているが、少なくとも平面視環状とされた凸部４５の内縁の寸法が、凹部３２の内縁と同等あるいは微小に大きく設定されていればよい。すなわち、平面視環状とされた凸部４５の外縁の寸法は、図示例のように凹部３２の外縁と同等あるいは微小に小さく設定されることに限らず、少なくとも凹部３２の外縁の寸法以下に設定されていればよい。
【００３０】
以上のように構成される半導体装置１では、第一内部接続部４１の凸部４５が絶縁性板材３の凹部３２に挿入されることで、絶縁性板材３及び第一内部接続部４１の凹凸面３１，４４同士が噛み合う。これにより、絶縁性板材３の上面３ａ及び第一内部接続部４１の下面４１ｂに沿う面方向への絶縁性板材３及び第一内部接続部４１の相対移動が規制されることになる。
そして、本実施形態の半導体装置１では、半導体素子６の熱等によって半導体装置１が加熱冷却されたとしても、絶縁性板材３に対する第一内部接続部４１の面方向への膨張収縮を抑えることができる。
【００３１】
特に、凹部３２及び凸部４５が、絶縁性板材３の上面３ａや第一内部接続部４１の下面４１ｂに沿って延びる線状に形成されているため、第一内部接続部４１が、絶縁性板材３に対して凹部３２や凸部４５の幅方向に膨張収縮することを抑制できる。また、第一内部接続部４１の面方向への膨張収縮は、半導体素子６と板厚方向に重なる絶縁性板材３や第一内部接続部４１の中央領域よりも、半導体素子６と板厚方向に重ならない周囲領域において大きくなるが、凹部３２及び凸部４５がこの周囲領域に形成されていることで、第一内部接続部４１の面方向への膨張収縮を特に効率よく抑えることができる。
以上のことから、絶縁性板材３と第一内部接続部４１との熱膨張係数の差に基づいて接合剤１０、導電性接合剤１１、半導体素子６に作用する応力が緩和される。その結果として、接合剤１０、導電性接合剤１１、半導体素子６にクラック等の欠陥が生じることを抑制でき、半導体装置の品質低下を抑えることができる。
【００３２】
〔第二実施形態〕
次に、図４を参照して本発明の第二実施形態について説明する。
この実施形態に係る半導体装置は、図４に示すように、第一実施形態の半導体装置１と比較して、絶縁性板材３や第一内部接続部４１における凹部３２や凸部４５の形成領域が異なっている。
この実施形態の半導体装置では、絶縁性板材３に形成される凹部３２が、平面視した半導体素子６の周縁形状に沿って線状に延びることで平面視矩形環状に形成され、平面視した第一内部接続部４１の周縁よりも半導体素子６の周縁側に寄せて位置している。なお、図示例の凹部３２は、その大半が半導体素子６と板厚方向に重ならない絶縁性板材３の上面３ａの周囲領域に形成されると共に凹部３２の内縁部分が半導体素子６と板厚方向に重なっているが、例えば、凹部３２全体が絶縁性板材３の上面３ａの周囲領域に形成されてもよいし、半導体素子６と重なる領域に形成されてもよい。
図４においては、平面視した第一内部接続部４１の凸部４５が図示されていないが、第一実施形態の場合と同様に、凹部３２と同様の平面視形状に形成され、凹部３２の形成位置や大きさに対応付けられている。
【００３３】
本実施形態の半導体装置によれば、第一実施形態の場合と同様に、第一内部接続部４１の凸部４５が絶縁性板材３の凹部３２に挿入されることで、絶縁性板材３及び第一内部接続部４１の凹凸面３１，４４同士が噛み合うことになる。そして、本実施形態の半導体装置では、凹部３２や凸部４５が半導体素子６の周縁形状に沿って形成されているため、第一内部接続部４１のうち半導体素子６と重なる領域（中央領域）について、半導体装置の加熱冷却に基づく第一内部接続部４１の面方向への膨張収縮を特に抑えることができる。したがって、第一実施形態の場合と同様に、半導体装置の品質低下を抑制することが可能となる。
【００３４】
〔第三実施形態〕
次に、図５を参照して本発明の第三実施形態について説明する。
本実施形態に係る半導体装置は、図５に示すように、第一〜第二実施形態の半導体装置１と比較して、凹部３２や凸部４５の数が異なっている。
この実施形態の半導体装置においては、第二実施形態の場合と同様に、平面視した半導体素子６の周縁形状に沿って線状に延びることで平面視矩形環状に形成された凹部３２が、絶縁性板材３の面方向に互いに間隔をあけて二つ形成されている。ここで、一方の凹部３２Ａは、第二実施形態における凹部３２と同一のものであり、他方の凹部３２Ｂは、一方の凹部３２Ａの内縁側に間隔をあけて位置している。すなわち、他方の凹部３２Ｂは、その全体が半導体素子６と重なるように形成されている。なお、他方の凹部３２Ｂは、例えば一方の凹部３２Ａと同様に、半導体素子６と重ならない絶縁性板材３の上面３ａの周囲領域に形成されてもよい。また、凹部３２は、互いに間隔をあけて形成されていれば、例えば三つ以上形成されてもよい。
図５においては、平面視した第一内部接続部４１の凸部４５が図示されていないが、第一内部接続部４１の下面４１ｂには、凹部３２に対応する数、平面視形状、形成位置及び大きさの凸部４５が形成されている。
【００３５】
本実施形態の半導体装置によれば、第二実施形態と同様の効果を奏するが、半導体装置の加熱冷却に基づく第一内部接続部４１の凹部３２や凸部４５の配列方向への膨張収縮を特に抑えることが可能である。
また、凹部３２及び凸部４５が複数形成されていることで、互いに対向する絶縁性板材３及び第一内部接続部４１の表面積が増加するため、半導体素子６において生じた熱を第一内部接続部４１から絶縁性板材３に伝える際の熱抵抗を低減することができる。したがって、半導体素子６において生じた熱を効率よく第一内部接続部４１から絶縁性板材３に伝えることが可能となる。すなわち、半導体装置の放熱性向上を図ることができる。
【００３６】
なお、上述した第一~第三実施形態では、凹部３２及び凸部４５が、平面視矩形状とされた第一内部接続部４１や半導体素子６の周縁に対応するように平面視矩形環状に形成されているが、任意の環状に形成されていてよい。ただし、第一内部接続部４１や半導体素子６が任意の平面視形状を有する場合、凹部３２及び凸部４５の平面視形状は、第一内部接続部４１や半導体素子６の周縁形状に倣う環状に形成されていることがより好ましい。したがって、凹部３２や凸部４５は、直線状のもの複数連ねた環状に形成されることに限らず、例えば曲線状のもので環状に形成されてもよい。
【００３７】
〔第四実施形態〕
次に、図６を参照して本発明の第四実施形態について説明する。
この実施形態に係る半導体装置は、図６に示すように、第一~第三実施形態の半導体装置と比較して、絶縁性板材３や第一内部接続部４１に形成される凹部や凸部の平面視形状が異なっている。
この実施形態の半導体装置では、絶縁性板材３の上面３ａに二つの凹部３３が形成されており、これら二つの凹部３３は、平面視矩形とされた第一内部接続部４１のうち互いに平行する一対の辺に沿ってそれぞれ直線状に延びている。すなわち、二つの凹部３３は互いに間隔をあけて配されている。さらに詳細に説明すれば、二つの凹部３３は、平面視長方形とされた第一内部接続部４１の一対の短辺に沿ってそれぞれ直線状に延びており、各凹部３３の長手方向の両端は、絶縁性板材３の上面３ａの周縁まで到達している。すなわち、各凹部３３は、絶縁性板材３と第一内部接続部４１とが重なる領域だけではなく、重ならない領域まで延びている。
【００３８】
図６においては、平面視した第一内部接続部４１の凸部が図示されていないが、第一内部接続部４１の下面４１ｂには、凹部３３に対応する数、平面視形状、形成位置及び大きさの凸部が形成されている。すなわち、第一内部接続部４１に形成される凸部は、第一内部接続部４１の一対の短辺に沿ってそれぞれ直線状に延びている。なお、各凸部の長手方向の両端は、第一内部接続部４１の周縁まで到達していてよいが、到達しなくてもよい。
本実施形態の半導体装置では、第一実施形態の場合と同様に、第一内部接続部４１の凸部が絶縁性板材３の凹部３２に挿入されることで、絶縁性板材３に対する第一内部接続部４１の面方向への膨張収縮を抑え、半導体装置の品質低下を抑えることができる。
【００３９】
なお、平面視長方形状に形成された第一内部接続部４１では、その長辺に沿う方向への膨張収縮が特に大きくなるが、本実施形態では、各凹部３２や各凸部の幅方向、及び、複数の凹部３２や凸部の配列方向が、第一内部接続部４１の長辺方向に一致しているため、また、凹部３２及び凸部が長辺の両端に形成されているため、第一内部接続部４１の長辺方向への膨張収縮を特に抑えることができる。
また、本実施形態の半導体装置では、直線状とされた凹部３２のうち第一内部接続部４１によって覆われない部分にモールド樹脂８（図１参照）が入り込むため、モールド樹脂８を絶縁性板材３に係合させて、絶縁性板材３とモールド樹脂８との接合強度向上を図ることもできる。
【００４０】
なお、上述した第四実施形態においては、第一実施形態の場合と同様に、凹部３３や凸部が第一内部接続部４１の辺に沿って形成されるとしたが、例えば第二実施形態の場合と同様に、半導体素子６の辺に沿って形成されてもよい。この場合、凹部３３や凸部は、半導体素子６と板厚方向に重なる領域に形成されてもよいし、重ならない領域に形成されてもよい。
また、第四実施形態においては、凹部３３や凸部が二つ形成されるとしたが、例えば三つ以上形成されてもよい。
【００４１】
さらに、複数の凹部３３や凸部は、互いに平行することに限らず、例えば交差してもよい。言い換えれば、凹部３３や凸部は、例えば格子状に形成されてもよい。
また、凹部３３や凸部は平面視で直線状に形成されているが、例えば曲線状に形成されてもよい。ただし、第一内部接続部４１や半導体素子６が任意の平面視形状を有する場合、凹部３３及び凸部の平面視形状は、第一内部接続部４１や半導体素子６の辺等の周縁に沿う線状に形成されていることが好ましい。
【００４２】
〔第五実施形態〕
次に、図７を参照して本発明の第五実施形態について説明する。
本実施形態に係る半導体装置は、図７に示すように、第一〜第四実施形態の半導体装置と比較して、絶縁性板材３や第一内部接続部４１に形成される凹部や凸部の平面視形状が異なっている。
この実施形態の半導体装置では、平面視でドット状に形成された複数の凹部３４が、平面視で絶縁性板材３と第一内部接続部４１とが重なる領域の周縁に沿うように、互いに間隔をあけて矩形環状に配列されている。より詳細に説明すれば、これら複数の凹部３４は、半導体素子６と板厚方向に重ならない絶縁性板材３の上面３ａの周囲領域に形成され、平面視した半導体素子６の周縁よりも第一内部接続部４１の周縁側に寄せて位置している。なお、図示例において、複数の凹部３４は、絶縁性板材３と第一内部接続部４１とが重なる領域の周縁に沿って一列に並べられているが、例えば、千鳥状に配列されていてもよいし、複数列で並べられていてもよい。
図７においては、平面視した第一内部接続部４１の凸部が図示されていないが、凸部は、前述した凹部３４と同様に平面視でドット状に形成されると共に、絶縁性板材３と第一内部接続部４１とが重なる領域の周縁に沿うように、互いに間隔をあけて矩形環状に複数配列されている。
【００４３】
本実施形態の半導体装置では、第一実施形態と同様の効果を奏し、特に、凹部３４や凸部の配列方向への第一内部接続部４１の膨張収縮を抑えることができる。
なお、上記第五実施形態におけるドット状の凹部や凸部は、絶縁性板材３と第一内部接続部４１とが重なる領域の周縁に沿って配列されることに限らず、例えば第二〜第三実施形態のように半導体素子６の周縁に沿う環状に配列されてもよいし、第四実施形態のように単純な直線状あるいは曲線状に配列されてもよい。
【００４４】
〔第六実施形態〕
次に、図８を参照して本発明の第六実施形態について説明する。
図８に示すように、この実施形態に係る半導体装置は、第一〜第五実施形態の半導体装置と比較して、断面視した凹部及び凸部の相対的な数が異なっている。
詳細に説明すれば、この実施形態の半導体装置では、絶縁性板材３の上面３ａに複数（図示例では四つ）の凹部３５が形成されると共に、第一内部接続部４１の下面４１ｂには凹部３５よりも少ない数（図示例では三つ）の凸部４８が形成されている。これら複数の凹部３５及び凸部４８は、絶縁性板材３や第一内部接続部４１の面方向のうち一方向（図８における左右方向）に等間隔で配列されている。
本実施形態の半導体装置によれば、第一〜第五実施形態の場合と同様に、第一内部接続部４１の凸部４８が絶縁性板材３の凹部３５に挿入されることで、絶縁性板材３及び第一内部接続部４１の凹凸面３１，４４同士が噛み合うため、絶縁性板材３に対する第一内部接続部４１の面方向への膨張収縮を抑えて、半導体装置の品質低下を抑制することができる。
【００４５】
さらに、本実施形態の半導体装置では、一つの凸部４８を複数の凹部３５のうちの一つに対して選択的に挿入することが可能となるため、絶縁性板材３上に第一内部接続部４１を積層する際に、仮に絶縁性板材３と第一内部接続部４１とが一方向（凹部３５や凸部４８の配列方向）に位置ずれしたとしても、凸部４８を確実に凹部３５に挿入することができる。
また、本実施形態の半導体装置においては、図８に示すように、第一内部接続部４１に覆われずに露出している凹部３５に、モールド樹脂８（図１参照）を入り込ませることで、モールド樹脂８を絶縁性板材３に係合させることができるため、絶縁性板材３とモールド樹脂８との接合強度向上を図ることも可能である。
なお、上述した第六実施形態では、凸部４８が複数形成されているが、少なくとも凹部３５の数よりも少なければよく、例えば一つだけ形成されてもよい。
【００４６】
〔第七実施形態〕
次に、図９を参照して本発明の第七実施形態について説明する。
図９に示すように、この実施形態に係る各半導体装置は、第六実施形態の半導体装置と比較して、凹部の形状のみが異なっている。
詳細に説明すれば、この実施形態の半導体装置では、第六実施形態と同様に、絶縁性板材３の上面３ａ及び第一内部接続部４１の下面４１ｂに複数の凹部３５及び凸部４８がそれぞれ形成され、凹部３５の数が凸部４８の数よりも多く設定されている。また、これら複数の凹部３５及び凸部４８は、絶縁性板材３や第一内部接続部４１の面方向のうち一方向（図９における左右方向）に等間隔で配列されている。
そして、前記一方向の両端（端部）に配された一の凹部３５Ａの大きさが、少なくとも二つの凸部４８を一括して挿入可能な大きさに設定されている。すなわち、一の凹部３５Ａは、他の凹部３５よりも前記一方向に長く延びるように形成されている。なお、一の凹部３５Ａは、例えば平面視した絶縁性板材３の周縁に至るまで前記一方向に延びていても構わない。
【００４７】
そして、この実施形態の半導体装置では、一の凹部３５Ａに凸部４８が挿入された状態において、一の凹部３５Ａに隣り合う凹部３５に別個の凸部４８が挿入されることで、絶縁性板材３及び第一内部接続部４１の凹凸面３１，４４同士が噛み合うため、第一〜第六実施形態の場合と同様に、絶縁性板材３に対する第一内部接続部４１の面方向への膨張収縮を抑えて、半導体装置の品質低下を抑制することができる。
さらに、この半導体装置では、一の凹部３５Ａに二つ以上の凸部が挿入可能であるため、絶縁性板材３と第一内部接続部４１とが互いに一方向に位置ずれしても、全ての凸部を確実に凹部に挿入することができる。なお、一の凹部３５Ａに二つ以上の凸部が挿入されていても、一の凹部３５Ａに隣り合う凹部に別個の凸部が挿入されていれば、第一内部接続部４１の一方向への膨張収縮を確実に抑えることができる。
【００４８】
なお、第七実施形態においては、前記一方向の両端に配された一の凹部３５Ａが、他の凹部３５よりも前記一方向に長く延びるとしたが、例えば前記一方向の一方の端部に配された一の凹部３５Ａのみが、他の凹部３５よりも長く延びていてもよい。
また、凹部３５や凸部４８の数は、上記第七実施形態において記載したものに限らず、少なくとも一の凹部３５Ａに二つ以上の凸部４８を挿入した状態で、一の凹部３５Ａに隣り合う凹部３５に別個の凸部４８が挿入されるように設定されていればよく、例えば凹部３５と凸部４８とが同数に設定されていてもよい。
【００４９】
〔第八実施形態〕
次に、図１０を参照して本発明の第八実施形態について説明する。
図１０に示すように、この実施形態に係る半導体装置は、第一〜第七実施形態の半導体装置と比較して、凹部や凸部の形状が異なっている。
すなわち、絶縁性板材３の上面３ａから窪む凹部３６には、その開口縁から凹部３６の底部側に向かうにしたがって傾斜する傾斜案内面３６ａが形成されている。一方、第一内部接続部４１の下面４１ｂから突出する凸部４９には、その突出方向の先端から基端側に向かうにしたがって傾斜する傾斜案内面４９ａが形成されている。なお、図１０においては、第六〜第七実施形態の場合と同様に、凹部３６及び凸部４９がそれぞれ複数形成されているが、例えば一つだけ形成されていてもよい。
【００５０】
本実施形態の半導体装置によれば、絶縁性板材３上に第一内部接続部４１を積層固定する際に、凹部３６と凸部４９とが絶縁性板材３や第一内部接続部４１の面方向に互いにずれていたとしても、凸部４９の先端が凹部３６の傾斜案内面３６ａに当接することで、あるいは、凹部３６の開口縁が凸部４９の傾斜案内面４９ａに当接することで、凸部４９が凹部３６内に導かれるように、絶縁性板材３及び第一内部接続部４１がその面方向（図１０における左右方向）に相対移動するため、確実に凸部４９を凹部３６に挿入することができる。したがって、絶縁性板材３及び第一内部接続部４１の凹凸面３１，４４同士を確実に噛み合わせることができる。
なお、第八実施形態においては、傾斜案内面が凹部３６及び凸部４９の両方に形成されているが、例えば凹部３６及び凸部４９の一方のみに形成されていてもよい。
【００５１】
以上、第一〜第八実施形態により本発明の詳細を説明したが、本発明は上述した実施形態に限定されるものではなく、本発明の趣旨を逸脱しない範囲において種々の変更を加えることが可能である。
例えば、全ての実施形態では、絶縁性板材３の上面３ａに凹部が形成され、第一内部接続部４１の下面４１ｂに凸部が形成されるとしたが、少なくとも絶縁性板材３の上面３ａ及び第一内部接続部４１の下面４１ｂに互いに噛み合う凹凸面３１，４４が形成されていればよく、例えば絶縁性板材３の上面３ａに凸部を形成し、第一内部接続部４１の下面４１ｂに凹部を形成してもよい。
【００５２】
また、端子板４，５は、断面視クランク形状に形成されるとしたが、例えば単純な平板状に形成されていてもよい。
さらに、第二端子板５と半導体素子６とを電気接続する接続子７は、板状に形成されるとしたが、例えばボンディングワイヤであってもよい。
また、上記実施形態の半導体装置は、発熱体として半導体素子６を備えるとしたが、少なくとも第一内部接続部４１の上面４１ａに電気接続状態で固定されるものであれば、他の電子部品・電気部品を備えていてもよい。
【符号の説明】
【００５３】
１  半導体装置
３  絶縁性板材
３ａ  上面
４  第一端子板（導電性板材）
６  半導体素子（発熱体）
１０  接合剤
１１  導電性接合剤
３１，４４  凹凸面
３２，３２Ａ，３２Ｂ，３３，３４，３５，３６  凹部
３５Ａ  一の凹部
３６ａ  傾斜案内面
４１  第一内部接続部
４１ａ  上面
４１ｂ  下面
４５，４８，４９  凸部
４９ａ  傾斜案内面
【図１】
0005409551.tif 000002
【図２】
0005409551.tif 000003
【図３】
0005409551.tif 000004
【図４】
0005409551.tif 000005
【図５】
0005409551.tif 000006
【図６】
0005409551.tif 000007
【図７】
0005409551.tif 000008
【図８】
0005409551.tif 000009
【図９】
0005409551.tif 000010
【図１０】
0005409551.tif 000011